(57)【要約】【課題】親と子が並んで寝るのに適した親子ベッドを提供する。【解決手段】親子ベッドは、乳幼児用のベビーベッド１０と、大人用のベッド３０とを組み合わせて使用するものである。大人用ベッド３０は、折りたたみ可能に設けられている。ベビーベッド１０のベッド床高さと、大人用ベッド３０のベッド床高さとは、同じである。ベビーベッド１０のベッド床と大人用ベッド３０のベッド床とに連続性を持たせるために、ベビーベッド１０のベッド床上と大人用ベッド３０のベッド床上とに連続的に延在するマット７，４４を含む。【選択図】　　　　図３
2004041627.tif 000002
【特許請求の範囲】
【請求項１】
乳幼児用のベビーベッドと、大人用のベッドとを組み合わせて使用する親子ベッドであって、
前記大人用ベッドは、折りたたみ可能に設けられており、
前記ベビーベッドのベッド床高さと、前記大人用ベッドのベッド床高さとは同じである、親子ベッド。
【請求項２】
前記ベビーベッドのベッド床と前記大人用ベッドのベッド床とに連続性を持たせるための手段を備える、請求項１に記載の親子ベッド。
【請求項３】
前記連続性を持たせるための手段は、前記ベビーベッドのベッド床上と前記大人用ベッドのベッド床上とに連続的に延在するマットを含む、請求項２に記載の親子ベッド。
【請求項４】
前記マットは、前記ベビーベッドのベッド床上に延在する乳幼児用マットと、前記大人用ベッドのベッド床上に延在する大人用マットと、前記幼児用および大人用マットを離脱可能に連結するファスナーとを含む、請求項３に記載の親子ベッド。
【請求項５】
前記連続性を持たせるための手段は、前記ベビーベッドと前記大人用ベッドとを横に並べて連結固定する連結固定具を含む、請求項２〜４のいずれかに記載の親子ベッド。
【請求項６】
前記ベビーベッドのベッド床の下に収納空間が形成されており、
折りたたみ状態の前記大人用ベッドは、前記収納空間内に入る大きさである、請求項１〜５に記載の親子ベッド。
【請求項７】
前記大人用ベッドは、長さ方向の中間部分を境にして２つ折に折りたたまれるようにされており、
前記大人用ベッドは、自立して折りたたまれている状態において床面上を移動する自立移動用車輪と、寝かせて折りたたまれている状態において床面上を移動する横移動用車輪とを含む、請求項１〜６に記載の親子ベッド。
【発明の詳細な説明】
【０００１】
【発明の属する技術分野】
この発明は、乳幼児用のベビーベッドと、大人用のベッドとを組み合わせて使用する親子ベッドに関するものである。
【０００２】
【従来の技術】
乳幼児用ベビーベッドおよび大人用のベッドは、市場に多く提供されている。ベビーベッドはベビーベッドとして適した形態となるように工夫され、大人用ベッドは大人用ベッドとして適した形態となるように工夫されている。
【０００３】
【発明が解決しようとする課題】
しかしながら、従来では、ベビーベッドと大人用ベッドとを組み合わせて使用することを意図したものはなかった。特に親が子供の横で添い寝をしようとする場合には、乳幼児をベビーベッドから大人用ベッドに移したり、畳の上に移したりすることが必要であった。
【０００４】
この発明は、親と子が並んで寝るのに適した親子ベッドを提供することである。
【０００５】
【課題を解決するための手段】
この発明は、乳幼児用のベビーベッドと、大人用のベッドとを組み合わせて使用する親子ベッドである。大人用ベッドは、折りたたみ可能に設けられている。ベビーベッドのベッド床高さと、大人用ベッドのベッド床高さとは同じである。
【０００６】
上記のような親子ベッドであれば、親と子とが同じ高さで並んで寝ることができるので、親としても安心でき、子も安らぎを感じる。
【０００７】
好ましくは、親子ベッドは、ベビーベッドのベッド床と大人用ベッドのベッド床とに連続性を持たせるための手段を備える。連続性を持たせるための手段の一つの例は、ベビーベッドのベッド床上と大人用ベッドのベッド床上とに連続的に延在するマットである。この場合、例えば、マットは、ベビーベッドのベッド床上に延在する乳幼児用マットと、大人用ベッドのベッド床上に延在する大人用マットと、乳幼児用および大人用マットを離脱可能に連結するファスナーとを含む。マットがベービーベッドおよび大人用ベッドのベッド床上に連続して延在することにより、両者の境界はなくなるのでより一体的な感覚を与えることができる。
【０００８】
連続性を持たせるための手段の他の例は、ベビーベッドと大人用ベッドとを横に並べて連結固定する連結固定具である。
【０００９】
通常、ベビーベッドのベッド床の下に収納空間が形成されている。この場合、好ましくは、折りたたみ状態の大人用ベッドは、収納空間内に入る大きさである。
【００１０】
好ましくは、大人用ベッドは、長さ方向の中間部分を境にして２つ折に折りたたまれるようにされている。この場合、好ましくは、大人用ベッドは、自立して折りたたまれている状態において床面上を移動する自立移動用車輪と、寝かせて折りたたまれている状態において床面上を移動する横移動用車輪とを含む。このようにすれば、折りたたみ状態の大人用ベッドを移動させることが容易である。
【００１１】
【発明の実施の形態】
図面を参照してこの発明の一実施形態を説明する。
【００１２】
図１は、乳幼児用のベビーベッド１０を示している。ベビーベッド１０のベッド床の下には、収納空間８が形成されており、この収納空間８に大人用ベッド３０が折りたたまれた状態で収納されている。図２は、大人用ベッド３０を外に引き出している途中の状態を示している。
【００１３】
図３は、ベビーベッド１０と大人用ベッド３０とを並べて置いた状態を示している。図４は、大人用ベッド３０を単独に示している。図５は、大人用ベッド３０を寝かせて折りたたんだ状態を示し、図６は、大人用ベッド３０を自立して折りたたんだ状態を示している。
【００１４】
まず、図１を参照して、ベビーベッド１０の構造を説明する。ベビーベッド１０は、前フレーム１と、後フレーム２と、前後のフレーム１，２の間に位置する側面パネル３，４と、所定の高さのベッド床上に置かれるベッド床クッション６とを備える。前フレーム１および後フレーム２の下方端には、ベビーベッドの移動操作を容易にする車輪５が取り付けられている。ベッド床クッション６の上には、ベビーベッド１０のサイズに適合したキルティングマット７が置かれている。
【００１５】
前述したように、ベビーベッド１０のベッド床の下に収納空間８が形成されており、この収納空間８に折りたたんだ状態の大人用ベッド３０が収納される。外部から大人用ベッド３０を見えないようにするために、ベビーベッド１０には、収納空間８を隠す垂れ布９が取り付けられている。
【００１６】
次に、図４、図５および図６を参照して、大人用ベッド３０の構造を説明する。大人用ベッド３０は、長さ方向の中央部において幅方向に延びる中央部材３１と、中央部材３１に回動可能に連結された第１ベッド床フレーム３２と、中央部材３１に回動可能に連結され上記の第１ベッド床フレーム３２に対して対称的に配置された第２ベッド床フレーム３３と、第１ベッド床フレーム３２を下から支える逆Ｔ字状の脚部材３４と、第２ベッド床フレーム３３を下から支える棒状の脚部材３５と、中央部材３１に固定されて床面にまで延びている中央脚部材３６とを備える。第２ベッド床フレーム３３のほぼ中央部には、下方に延びている補助脚部材３７が取り付けられている。逆Ｔ字状脚部材３４は、第１ベッド床フレーム３２に対して折れ曲がり可能に連結され、棒状脚部材３５は第２ベッド床フレーム３３に対して折れ曲がり可能に連結されている。中央脚部材３６は中央部材３１に対して折れ曲がり不可能に固定され、補助脚部材３７は第２ベッド床フレーム３３に対して折れ曲がり不可能に固定されている。
【００１７】
図４に示す使用状態の大人用ベッド３０の移動操作を容易にするために、逆Ｔ字状脚部材３４の下端に車輪３９が取り付けられ、棒状脚部材３５の下端に車輪３８が取り付けられている。
【００１８】
大人用ベッド３０は、中央部材３１を中心にして下方に２つ折に折りたたまれるようになっている。大人用ベッド３０を折りたたむ際には、図５に示す状態では、折りたたまれた大人用ベッド３０は、横に寝かされている。この横に寝た状態の大人用ベッド３０の移動操作を容易にするために、補助脚部材３７の下方端に車輪４０が取り付けられ、逆Ｔ字状脚部材３４の側端に車輪４１が取り付けられている。図５に示すように、折りたたんだ状態の大人用ベッド３０を横に寝かせた状態では、補助脚部材３７の下端にある車輪４０、および逆Ｔ字状脚部材３４の側端にある車輪４１が床面に接触している。
【００１９】
図６に示すように、折りたたんだ状態の大人用ベッド３０を自立させることもできる。この自立状態では、逆Ｔ字状脚部材３４の下端にある車輪３９が床面に接触している。第２ベッド床フレーム３３の後方端に車輪４２が取り付けられているが、この車輪４２は、第２ベッド床フレーム３３を折りたたんで第１ベッド床フレーム３２に近づける際に床面に接触して折りたたみ動作をスムーズにする。
【００２０】
なお、図４に示すように、第１ベッド床フレーム３２および第２ベッド床フレーム３３上には、ベッド床クッション４３が置かれている。
【００２１】
図１および図２から明らかなように、大人用ベッド３０を使用しないときには、横に寝かせて折りたたんだ状態で、ベビーベッド１０のベッド床の下の収納空間８に収納しておく。このような収納を可能にするために、横に寝かせて折りたたんだ状態の大人用ベッド３０は、収納空間８内に入る大きさとされている。なお、言うまでもないが、折りたたんだ状態の大人用ベッド３０を必ずしもベビーベッド１０の下に収納しておかなくてもよい。図６に示すように折りたたんだ状態の大人用ベッド３０を自立した状態で適当な空きスペースに置いておいてもよい。
【００２２】
図３に示すように、ベビーベッド１０と大人用ベッド３０とを並べて使用する場合には、大人用ベッド３０側に位置するベビーベッド１０の一方の側面パネル３を取り外す。ここで注目すべきことは、ベビーベッド１０のベッド床高さと、大人用ベッド３０のベッド床高さとが同じになっていることである。さらに好ましくは、ベビーベッド１０と大人用ベッド３０とが、隙間なく密接するようにする。このことを実現するために、第１ベッド床フレーム３２の前方端から補助脚部材３７までの長さが、ベビーベッド１０の長さよりも大きくなるようにされている。すなわち、補助脚部材３７は第２ベッド床フレーム３３の側面に突出して取り付けられているので、ベビーベッド１０と接触する領域から外れるようにしている。
【００２３】
図３に示すように、大人用ベッド３０のベッド床クッション４３上には、大人用のサイズのキルティングマット４４が置かれている。ベビーベッド１０のベッド床と大人用ベッド３０のベッド床との連続性を持たせるために、ベビーベッド１０のベッド床上の乳幼児用キルティングマット７と、大人用ベッド床上の大人用キルティングマット４４とは、スライドファスナー２０によって連結されている。スライドファスナー２０は、乳幼児用キルティングマット７と大人用キルティングマット４４とを離脱可能に連結している。
【００２４】
図３に示す状態では、ベビーベッド１０のベッド床の高さと大人用ベッド３０のベッド床の高さとが同じであることに加えて、両ベッド床がキルティングマット７，４４を介して連続的に延在している。したがって、両ベッドの境界はなくなり一体的なものとなるので、親は安心でき、子も安らぎを感じる。
【００２５】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。そのいくつかを例示的に列挙して説明する。
【００２６】
（１）図示した実施形態では、乳幼児用のキルティングマットと大人用のキルティングマットとがスライドファスナーを介して離脱可能に連結されていたが、両マットが一体的に設けられていて離脱不可能なものであってもよい。
【００２７】
（２）また、図示した実施形態では、ベビーベッドのベッド床と大人用ベッドのベッド床とに連続性を持たせるための手段としてマットを用いた。他の例として、連続性をもたせるための手段として、ベビーベッドと大人用ベッドとを横に並べて連結固定する連結固定具であってもよい。そのような連結固定具は、例えば、ベビーベッドおよび大人用ベッドのフレーム同士または脚部同士を連結固定する。
【図面の簡単な説明】
【図１】ベビーベッドを示す斜視図である。
【図２】折りたたんだ状態の大人用ベッドをベビーベッドの下から引き出している途中の状態を示す斜視図である。
【図３】ベビーベッドと大人用ベッドとを並べて配置した状態の斜視図である。
【図４】大人用ベッドを示す斜視図である。
【図５】大人用ベッドを寝かせて折りたたんだ状態の斜視図である。
【図６】大人用ベッドを折りたたんで自立させた状態の斜視図である。
【符号の説明】
１　前フレーム、２　後フレーム、３，４　側面パネル、５　車輪、６　ベッド床クッション、７　乳幼児用キルティングマット、８　収納空間、９　垂れ布、２０　スライドファスナー、３０　大人用ベッド、３１　中央部材、３２　第１ベッド床フレーム、３３　第２ベッド床フレーム、３４　逆Ｔ字状脚部材、３５　棒状脚部材、３６　中央脚部材、３７　補助脚部材、３８，３９，４０，４１，４２　車輪、４３　ベッド床クッション、４４　大人用キルティングマット。
【図１】
2004041627.tif 000003
【図２】
2004041627.tif 000004
【図３】
2004041627.tif 000005
【図４】
2004041627.tif 000006
【図５】
2004041627.tif 000007
【図６】
2004041627.tif 000008